(57)【特許請求の範囲】
【請求項１】
２つの管を着脱可能に接合する迅速コネクタであって、主軸（Ｘ−Ｘ'）沿いで互いに嵌合する第１の部材及び第２の部材（Ａ，Ｂ）を備え、第１の部材は雄部材（Ａ）及び雌部材（Ｂ）のいずれか一方であり、第２の部材は雄部材及び雌部材のもう一方の部材であり、コネクタが流路接続状態においてこれら雄部材と雌部材とをロックするため、第１の部材に第２の部材の半径方向の突出部を受けるための少なくとも一つの傾斜路が備えられており、前記傾斜路（４０，４１；１０４０；４０４０）は、前記第１及び第２の部材の一方に取り付けられて、前記軸（Ｘ−Ｘ'）まわりに回転可能かつ該軸に沿う直線運動が不能なリング（３３；２５；２６；３９）に形成され、或いは該リングに固定されており、かつ前記傾斜路にはコネクタが流路接続状態にあるときに前記突出部をロックする少なくとも一つの座部（４０６；Ｂ2）が形成されており、前記傾斜路（４０，４１）はコネクタの下流側の管（Ｃ2）の減圧（Ｅ）或いは排気状態において前記突出部（２０，２１）をロックするための、コネクタを開く向きで前記第１の座部（４０６；Ｂ2）に対して軸方向に位置ずれした第２の座部（４１１；Ｂ4）を形成しており、前記傾斜路（４０，４１；１０４０；４０４０）は、前記雄部材（Ａ）及び雌部材（Ｂ）のいずれか一方に軸方向の力を加えることによって、傾斜路（４０，４１；１０４０；４０４０）におけるその入口領域（４０１；１４０１；４４０１）から前記第１の座部（４０６；Ｂ２）に向かう前記突出部（２０，２１）の変位、前記第１の座部から前記第２の座部（４１１；Ｂ４）に向かう前記突出部の変位、及び前記第２の座部から前記傾斜路の出口（４１６；１４０１；４４０１）に向かう前記突出部の変位が起こるように形成されていることを特徴とするコネクタ。
【請求項２】
前記傾斜路（４０，４１；１０４０；４０４０）は、前記軸（Ｘ−Ｘ’）に対し傾斜した面（４０３，４０５，４０７，４１２，４１３，４１５，Ｓ1〜Ｓ6）により仕切ってあり、前記突出部（２０）を受け入れ及び／又は向きを再び変えるための座部或いはストッパを形成する軸方向に対向配置された窪み（４０４，４０６，４０８，４１１；Ｂ1〜Ｂ5）が設けられている請求項１に記載のコネクタ。
【請求項３】
前記傾斜路（４０，４１）は、突出部（２０，２１）の入口（Ｆ2）用の開口（４０１）を備えるとともに、前記突出部の出口（Ｆ13）用の開口（４１６）を備えており、これらの開口が前記軸に対し２つの異なる半径方向（α）に向けられている、請求項１乃至２のいずれか１項に記載のコネクタ。
【請求項４】
前記傾斜路（１０４０；４０４０）の入口と出口は、前記突出部（２０，２１）の通過のための単一の領域（１４０１；４４０１）により構成されている、請求項１乃至２のいずれか１項に記載のコネクタ。
【請求項５】
前記傾斜路は、前記雄部材（Ａ）及び雌部材（Ｂ）の嵌合（ｄ1）状態に対応するストッパ領域（４０４）に向かう第１の通路（４０２）の方向に収斂する入口領域（４０１）を備え、前記ストッパ領域は、コネクタが流路接続状態にあるときに前記突出部（２０，２１）を前記ロック座部（４０６）へ案内する面（４０５）に対向配設されている、請求項１乃至４のいずれか１項に記載のコネクタ。
【請求項６】
前記傾斜路（４０，４１）は、前記突出部（２０，２１）の前記傾斜路の入口領域（４０１）から出口領域（４１６）へ向かう一方向（Ｆ3）の前進のための逆止装置（４１８）を備える、請求項１乃至５のいずれか１項に記載のコネクタ。
【請求項７】
前記傾斜路（４０，４１）はコネクタの雌部材（Ｂ）内に自由回転可能かつ直線運動不能に取り付けられたリング（３３）の半径方向内面（３７）に形成されており、前記突出部（２０，２１）は雄部材（Ａ）に対して固定されている請求項１乃至６のいずれか１項に記載のコネクタ。
【請求項８】
前記傾斜路（４０，４１）はコネクタの雌部材（Ｂ）の本体（３１）の半径方向内面（３５）に形成されており、前記突出部（２０，２１）は雄部材（Ａ）のまわりに自由回転可能かつ直線運動不能に取り付けられたリング（２４）に固定されている請求項１乃至６のいずれか１項に記載のコネクタ。
【請求項９】
前記傾斜路（４０，４１）は雄部材（Ａ）のまわりに自由回転可能かつ直線運動不能に取り付けられたリング（２６）の半径方向外面（２６ａ）に形成されており、前記突出部（２０，２１）は雌部材（Ｂ）に対して固定されていてその内部空間に向けて半径方向に突出する請求項１乃至６のいずれか１項に記載のコネクタ。
【請求項１０】
前記傾斜路（４０，４１）はコネクタの雄部材（Ａ）の半径方向外面（１９）に形成されており、前記突出部（２０，２１）は雌部材（Ｂ）内に自由回転可能かつ直線運動不能に取り付けられたリング（３９）に固定されており、前記突出部はこの雌部材の内部空間に向けて半径方向に突出する請求項１乃至６のいずれか１項に記載のコネクタ。
【発明の詳細な説明】
【０００１】
【発明の属する技術分野】
本発明は、加圧下で流体が流れる２つの管を着脱可能に接合すべく互いに嵌合するための部材を有する迅速コネクタに関するものである。
【０００２】
【従来の技術】
雄部材を解放すべくコネクタの雄部材のロック機構を雌部材内部で制御する意図で設けた外部ボタン付きの迅速コネクタを設けることは周知である。この種のボタン操作の労力はコネクタの直径とコネクタ内を移動する流体の圧力とともに大きくなるが、それはロック機構がこれらの値の関数として剛性定数が増加するばねで出来ているからである。加えて、ボタンを組み込んだこの種のロック機構は、比較的精密で高価な機構である。
【０００３】
球と係止ブッシユを組み込んだコネクタを用い、球をコネクタの一部材を囲むブッシュの位置により制御することもまた周知である。この種の連結にはコネクタ周りにブッシュを操作するのに十分な自由空間が要求され、この種の空間が必ずしも利用可能とは限らないのである。
【０００４】
また、例えば米国特許第４，９０９，５４５号によれば、コネクタの一方の部材の本体に他方の部材の本体から半径方向に延びるキャッチを受け入れる傾斜路を設けることも周知である。コネクタのロックには、その構成部材の相対的な直動運動及び回転運動の組み合わせが要求され、そのことが組み立てられた組立体の信頼性を低減することがある。
【０００５】
最後に、米国特許第３，２１１，４７９号には、装備したブッシュ内に貫入するよう設けたスリーブをコネクタ上に設け、その内面上には、スリーブの外面に形成した傾斜路と協働するスタッドを設けたものが開示されている。このコネクタを開くと、その下流側に接続された可撓性パイプが、そのパイプ内の圧力によって危険な動きをするおそれがある。
【０００６】
【発明が解決しようとする課題】
本発明の具体的な目的は、大口径を有しかつ高圧流体用のコネクタの場合を含め、過大な労力を用いることなくロック及びロック解除を可能にし、その一方でコネクタの操作のためにコネクタに横からアクセスする必要がない、新規種のコネクタを提案することにより、これらの欠点を克服することにある。
【０００７】
【課題を解決するための手段】
この目的のため、本発明は２つの管を着脱可能に接合する迅速コネクタに係り、このコネクタはその主軸沿いに互いに嵌合するように設けた第１及び第２の部材を有し、コネクタが流路接続状態にあるときにこれらの部材をロックするために、第１の部材には第２の部材の半径方向の突出部を受け入れる少なくとも一つの傾斜路を備えるものであり、第１及び第２の部材の一方には回転自在でかつ前記主軸沿いに直線移動不能に装着したリングに傾斜路を形成するか又はこれに固定したものであり、傾斜路にはコネクタが流路接続状態にあるときに突出部をロックするための少なくとも一つの座部を形成してあり、また傾斜路はコネクタの下流側の管の減圧或いは排気状態において前記突出部をロックするための、コネクタを開く向きで前記第１の座部に対して半径方向に位置ずれした第２の座部を形成している。
【０００８】
本発明によれば、減圧状態におけるストッパ機能とともに、コネクタのロックとロック解除は、ユーザによる回転を要することなく、ほぼ軸方向沿いで実行される。実際には、ロックに対応する回転はそれを装着した部材に対するリングの自動的な回転運動により得られ、また、突出部を第２の座部で止めることによって減圧或いは排気を行うことができる。
【０００９】
本発明の意味において、「直線運動が不能」という言葉はリングが２つのストッパ間で軸方向に不動であることを意味する。無論、リングについて低い度合いの軸方向移動の可能性に対応した或る隙間を許容することはできる。
【００１０】
本発明の他の有利であるが任意の側面は、従属項から明白となるであろう。本発明は様々な実施形態で利用できる。
【００１１】
本発明の第１の実施形態によれば、傾斜路はコネクタの雌部材内に自由回転可能かつ直線運動不能に取り付けられたリングの半径方向内面に形成されており、突出部は雄部材に対して固定されている。
【００１２】
本発明の第２の実施形態によれば、傾斜路はコネクタの雌部材の本体の半径方向内面に形成されており、突出部は雄部材のまわりに自由回転可能かつ直線運動不能に取り付けられたリングに固定されている。
【００１３】
本発明の第３の実施形態によれば、傾斜路は雄部材のまわりに自由回転可能かつ直線運動不能に取り付けられたリングの半径方向外面に形成されており、突出部は雌部材に対して固定されていてその内部空間に向けて半径方向に突出するものである。
【００１４】
本発明の第４の実施形態によれば、傾斜路はコネクタの雄部材の半径方向外面に形成されており、突出部は雌部材内に自由回転可能かつ直線運動不能に取り付けられたリングに固定されており、突出部はこの雌部材の内部空間に向けて半径方向に突出するものである。
【００１５】
本発明は、例示としてのみ与えられた添付図面を参照してなされる、本発明の原理に従った迅速コネクタの６つの実施形態についての下記の説明を読むことで、より容易に理解されよう。
【００１６】
【発明の実施の形態】
ここで図面を参照するに、図１乃至図５に示したコネクタは、雄部材Ａと雌部材Ｂとを備え、これらは円形断面を有するほぼ円筒形状となっている。雄部材Ａの後部は第１の管Ｃ1すなわち上流側の管に流体接続してあり、一方、雌部材Ｂの後部は第２の管Ｃ2すなわち下流側の管に接続してある。
【００１７】
Ｘ−Ｘ’は雄部材Ａ及び雌部材Ｂにより形成されたコネクタの主軸、すなわち図１乃至４の構成の雄部材Ａ及び雌部材Ｂの主軸を表わしており、雄部材Ａ及び雌部材はこの主軸Ｘ−Ｘ’方向に互いに嵌合している。
【００１８】
雄部材Ａは本体１１を備え、その内部にはばね１３により弾性的に付勢されたバルブ１２が配置されており、ばね１３は本体１１により形成された座部１６に対しＯ−リング１５を備えたバルブ１２の頭部１４を押し当てる作用力Ｆ1を加える。第２のＯ−リング１７が、本体１１内部に形成された環状溝１８内部に備わっている。本体１１の外側の半径方向の面１９には互いに半径方向に対向し軸Ｘ−Ｘ’にほぼ垂直な方向Ｙ−Ｙ’に延びる２つのキャッチ２０，２１が備わっている。キャッチ２０，２１は、本体１１と一体となっている。
【００１９】
雌部材Ｂは、本体１１の内部空間２２内に貫入し、作用力Ｆ1に抗してバルブ１２を押すように設けたプッシャ３２を形成する本体３１を備える。リング３３が本体３１の内側の半径方向の面３５に設けられたハウジング３４内に装着されており、ハウジング３４の対向端３４ａ，３４ｂに対するその支持によって、リング３３は本体３１に対しＸ−Ｘ’軸まわりに自由回転し、かつこの軸に沿う本体に対する直線運動が不能とされている。
【００２０】
ボア３６が、本体３１を通って雌部材Ｂの外面にハウジング３４を接続している。リング３３の内側の半径方向の面３７には、面３７内に窪ませた２つの傾斜路４０，４１が備わっている。傾斜路４０の構造は図５に展開してあり、ここではキャッチ２０の軌跡が数箇所で破線と点線で表わしてある。
【００２１】
傾斜路４０は、ほぼ軸Ｘ−Ｘ’と平行な方向に延びる通路４０２に向けて収斂する入口部４０１を備える。湾曲部４０３もまた備わっていて、この部分が窪み４０４内を延びており、この窪みの湾曲半径はキャッチ２０を受け止めてストッパとして機能させるように設定されている。
【００２２】
雄部材Ａを雌部材Ｂに嵌め込むと、嵌合開始時にキャッチ２０は、リング３３に対し、キャリッジ２０の様々な可能な角度方向に対応する矢印Ｆ2，Ｆ’2，Ｆ”2で表わされる如く、通路４０２に向けて入り口部４０１内を前進する。
【００２３】
実際には、キャッチ２０の前進はリング３３に対するキャッチ２０の相対的な動きに対応しており、何故ならリング３３は軸Ｘ−Ｘ’周りに回転するからである。キャッチ２０は次いで通路４０２に達し、次に矢印Ｆ3で表わされる如く湾曲部４０３を辿り、窪み４０４に当接する結果となる。この状態は、雄部材Ａが雌部材Ｂ内に最大嵌合した場合に該当する。
【００２４】
ユーザはそして自分が最大ストロークを達成したことに気づき、その手にしているものに応じて部材Ａ又は部材Ｂから手を離すことができる。その場合、作用力Ｆ1が空間２２の外面へ向けてプッシャ３２を押動するので、そのことが開口へ向けての雄部材Ａと雌部材Ｂとの相対変位を引き起こす。これは、軸Ｘ−Ｘ’に対して傾斜した面４０５の方向における傾斜路４０内でのキャッチ２０の変位を含み、この種の変位は矢印Ｆ4で表わされる。キャッチ２０が面４０５に当接したときに、軸Ｘ−Ｘ’に対するこの面の方位を考慮することで、キャッチ２０はこの面を摺動して第２の窪み４０６内に固定され、この第２の窪み４０６は傾斜路４０内にキャッチ２０をロックする座部として機能できるように形状設定されている。
【００２５】
キャッチ２０が傾斜路４０のこの位置にあることで、雄部材Ａ及び雌部材Ｂは図２の位置に結合され、これはコネクタが通路接続を可能にすることを意味する。コネクタを通って移動する流体の高圧は、部材Ａ，Ｂの相対的固定の信頼性に対して否定的な影響を一切与えない。
【００２６】
矢印Ｆ5は、面４０５沿いのキャッチ２０の進行を表わす。雄部材Ａと雌部材Ｂを分離したいときは、ユーザは雄部材を雌部材に嵌合させる新たな軸方向作用力を加えることで十分であり、これによって、キャッチ２０は軸Ｘ−Ｘ’に関し面４０５と反対方向へ傾斜した面４０７に対し当接する作用を行う。キャッチ２０の対応する相対的な動きは、図５の矢印Ｆ6で表わされる。面４０７は、窪み４０４同様、ストッパを形成する窪み４０８内へ延びており、面４０７沿いのキャッチ２０の動きは矢印Ｆ7で表わされる。
【００２７】
ユーザが雄部材Ａと雌部材Ｂの最大嵌合位置に達したと再び感じたとき、ユーザは手にした部材から手を離すだけで十分であり、それによって、矢印Ｆ8で表わされる作用力Ｆ1の作用によりキャッチ２０が窪み４０８から動かされる。
【００２８】
傾斜路４０は軸Ｘ−Ｘ’とほぼ平行な第２の通路４０９を備えており、この通路４０９は湾曲部４１０内に延び、この湾曲部４１０はキャッチ２０をロックする第２の座部を形成する窪み４１１に開口している。４１２は、湾曲部４１０の部位における傾斜路４０の外面を表わしており、この面が矢印Ｆ9で表わされる如くキャッチ２０を窪み４１１に向けて案内できるようにしている。
【００２９】
ｄ1は、キャッチ２０の、窪み４０４内に位置するときと窪み４０６内に位置するときとのあるときの、軸Ｘ−Ｘ’と平行に見た中心間距離を表わす。この距離は、雌部材Ａと雄部材Ｂが嵌合する際になされる「過剰なストローク」に対応する。
【００３０】
窪み４０４，４０８は図５の軸Ｘ−Ｘ’に垂直な方向Ｄに整列配置されており、距離ｄ1は窪み４０６，４０８内にそれぞれ位置するときのキャッチ２０の軸Ｘ−Ｘ’に平行な方向の中心間距離にも対応する結果となる。しかしながら、このような窪み４０４，４０８の整列配置は必須ではない。
【００３１】
ｄ2は、窪み４０６，４１１内にそれぞれ位置するときのキャッチ２０の軸Ｘ−Ｘ’と平行な方向の中心間距離を表わす。距離ｄ2の値は、キャッチ２０が窪み４１１内に位置するときにコネクタが図３の状態となるよう選択してあり、同状態ではプッシャ３２が依然として空間２２に係合しているが、本体１１に備わったノッチ２３には重なっておらず、このため、プッシャ３２と本体３１内部との間に形成された空間Ｖに向けた下流管Ｃ2内に存在する流体の流れが可能とされる。リング３３の端部に設けたノッチ３８が、ボア３６を介するコネクタ外部へ向けた流体の排出を可能にし、この流れは図３の矢印Ｅによって表わされる。
【００３２】
管Ｃ2から排出し終わったら、ユーザは新たに雌部材Ａ及び雄部材Ｂに軸嵌合作用力を加えれば十分であり、これは、図５の矢印Ｆ10で表わされる面４０７と同方向にキャッチ２０を軸Ｘ−Ｘ’に対し傾斜した面４１３に向けて変位させる効果を有する。キャッチ２０は次いで、矢印Ｆ11で表わされる如く、第３の窪み４１４に到達し、キャッチ２０はさらにこの窪み４１４から矢印Ｆ12で表わされる如く、面４０５，４１２と同方向で軸Ｘ−Ｘ’に対し傾斜した面４１５に向けて変位させられる。キャッチ２０は次いで、矢印Ｆ13で表わされる如く、傾斜路４０の出口開口４１６に向けてこの面沿いに摺動する。
【００３３】
開口４１６は、実際上、傾斜路４１の入口開口に相当する。開口４０１，４１６間の角度αは、実際には約１８０°であり、各傾斜路４０，４１はほぼリング３３内側半周沿いに延びている。開口４１６内の位置からは、キャッチ２０は傾斜路４０から簡単に引き出すことができる。
【００３４】
面４１５は、軸Ｘ−Ｘ’に関し反対方向に傾斜する面４１５’とともに、窪み４１４にほぼ軸方向に整列配置されたノーズ４１５”を形成している。このノーズ４１５”は、窪み４１４に向かうキャッチ２０の軸方向導入に抗するものであり、図５の矢印Ｆ’2で表わされるように、キャッチ２０を部分４０１と通路４０２に向けて偏向させる。
【００３５】
傾斜路４０の形状及びこれと同様の傾斜路４１の形状を考慮するならば、軸Ｘ−Ｘ’と平行なほぼ軸方向の作用力をコネクタの雄部材Ａ又は雌部材Ｂの一方又は他方に加えるだけで雌部材Ｂに対するキャッチ２０，２１の効率的なロックが得られる。矢印Ｆ2〜Ｆ12で表わされる傾斜路４０内のキャッチ２０の前進は、それ故に雄部材Ａ又は雌部材Ｂの一方のほぼ軸方向の動きによって得られる。
【００３６】
それ故に、本発明によれば、例えば雄部材Ａ又は雌部材Ｂの一つを、図１の雄部材Ａについて破線と点線で表わされる如く嵌め込んだ場合に、コネクタを雄部材Ａ又は雌部材Ｂの一つへの横からのアクセスなしで操作することが可能なる。
【００３７】
加えて、リング３３は本体３１により衝撃及び汚染から機械的に保護される。キャッチ２０，２１は本体１１と一体部品であり、端部材すなわち雄部材Ａは非常に堅牢であり、可撓管の端部に装着することができる。
【００３８】
キャッチ２０が湾曲部４０３を通過した時点でのロックの信頼性を改善するため、この湾曲部４０３の外面４１７は図５に破線と点線で表わすように、窪み４０の内側に向けて内向きに湾曲して設けることができ、これによって、内向きに湾曲した外面４１７の頂点の部位をキャッチ２０が連通した後における傾斜路に対するキャッチ２０の相対速度の加速がもたらされる。これによって、窪み４０４の方向における軸方向作用力の解放が防止され、これ故にキャッチ２０のこの窪み４０４への当接が保証される。
【００３９】
通路４０２内には、傾斜路４０の底部４２０にリベット４１９或いは他の任意の手段により固着された弾性刃４１８を設けることができる。この刃４１８はそれ自身の弾性効果により、矢印Ｆ14で表わされる如く、底部４２０に対しその自由端４１８ａを引き離そうとする。
【００４０】
図６の矢印Ｆ15で表される如く窪み４０４の方向にキャッチ２０が前進すると、この刃４１８が弾性変形して、キャッチ２０が刃４１８の端部４１８ａを底部４２０の方向へ押動する。他方、キャッチ２０が窪み４０４から通路４０２の方向へ戻る場合、キャッチ２０は刃４１８を底部へ向けて下方に湾曲させることなく刃４１８に当接する。それ故、刃４１８は傾斜路４０内での前進の際におけるキャッチ２０の逆止装置を構成し、これがキャッチ２０の前進方向を傾斜路４０内のキャッチ２０の入口部４０１から出口開口４１６へ向かわせる。特に、キャッチ２０を第２の座部すなわち窪み４１１を通過させることなくコネクタを分離することは不可能であり、そのことが下流管Ｃ2の減圧を可能にする。
【００４１】
図７により詳しく見ることができるように、窪み４０４，４０８，４１４に通じていて軸Ｘ−Ｘ’に対し傾斜した様々な面４０３，４０７，４１３は、それぞれ座部４０６，４１１に通じていて軸Ｘ−Ｘ’に関し反対方向に傾斜した面４０５，４１２に対向している。
【００４２】
このように、コネクタを構成する部品の一つに対し軸方向運動を行なわせると、これが図７の上下の矢印方向に向かう変位に変換され、これらの面のうちの一つは窪みか座部のどちらかからでも与えられる。
【００４３】
換言すれば、窪みへ向け或いは座部へ向けそれぞれ案内する面は、キャッチが方向を変えて休止する座部或いは窪みに対し軸方向に整列配置されている。
【００４４】
図８〜図１０にそれぞれ示した本発明の第２,第３及び第４実施形態においては、第１実施形態と同様な部材には同様な参照番号が付されている。
【００４５】
第２実施形態の第１実施形態と異なるところは、図８において一つのみを参照番号４０で示した傾斜路が雌部材Ｂの本体３１の半径方向の内面３５に形成されており、本体１１の半径方向外面１９に形成された溝２５内に装着されたリング２４に、直径方向に対向するキャッチ２０及び２１が形成されていることである。雄部材Ａと雌部材Ｂのロックはリング２４がコネクタの軸Ｘ−Ｘ‘のまわりに回転することで得られ、リング２４は溝２５の対向する側２５ａ及び２５ｂに当接することで軸方向に沿う直線運動が不能とされている。
【００４６】
第３実施形態においては、雌部材Ｂの本体３１に２つのキャッチ２０及び２１が固定されていて、これらのキャッチ２０及び２１が軸Ｘ−Ｘ‘に向けて内面３５に対して突出している。本体１１の半径方向の外面１９に形成された溝２７の内部にはリング２６が設けられており、このリング２６はその半径方向の外面２６ａに傾斜路４０及び４１を形成している。また、リング２６は溝２７内において自由回転可能であり、また溝２７の対向する側２７ａ及び２７ｂとの当接によって、軸Ｘ−Ｘ’に沿う直線運動が不能とされている。
【００４７】
第４実施形態においては、傾斜路４０及び４１が雄部材Ａの本体１１の半径方向の外面１９に機械加工によって直接形成されており、キャッチ２０及び２１を備えたリング３９が雌部材Ｂの本体３１の半径方向内面３５に形成された溝４２内に回転可能に装着されている。このリング３９は軸Ｘ−Ｘ‘のまわりに自由回転可能であり、一方で、溝４２の対向する側４２ａ及び４２ｂとの当接によって、その軸方向の直線運動が不能とされている。
【００４８】
これらの第２,第３及び第４実施形態の機能は第１実施形態について説明したと同様である。
【００４９】
図１１の実施形態では、傾斜路１０４０はそれぞれストッパＢ1〜Ｂ5により終端された面Ｓ1〜Ｓ5により形成され仕切られている。事実、ストッパＢ2，Ｂ4は第１の実施形態の座部４０６，４１１と同等な座部であり、一方でストッパＢ1，Ｂ3，Ｂ5は、面Ｓ1かＳ3かＳ5上を別の面Ｓ2，Ｓ4の方向或いは傾斜路１０４０の出口の方向へ行くよう摺動させることで突出部材の向きを再び変える窪みに対応する。
【００５０】
第１の実施形態に関する他の差異は、傾斜路１０４０がスタッドとして構成されたキャッチ２０といったタイプの突出部材の入口及び出口用の共通領域１４０１を有する点にある。
【００５１】
図１２は、第６実施形態を示すものであり、コネクタの長手軸Ｘ−Ｘ’に対して傾斜する６個の面Ｓ1〜Ｓ6が５個のストッパＢ1〜Ｂ5を形成していて、これらのうち２つのストッパＢ2，Ｂ4が突出部材を係留する座部を構成し、残りの３個の他のストッパＢ1，Ｂ3，Ｂ5がこのように形成された傾斜路４０４０内における突出部材の方向変化領域を構成している。第２及び第４の実施形態の如く、傾斜路４０４０の入口と出口は共通領域４４０１により構成されている。
【００５２】
図１１及び図１２の実施形態にあっては、面Ｓ1〜Ｓ6はストッパＢ1〜Ｂ5に対向して位置しており、かつそれらに対し軸方向に位置ずれしている。第１の実施形態で示した面及び窪みに対しても同様な構成が、適用可能である。
【００５３】
本発明は、記載した実施形態に限定されず、様々な実施形態の技術的特徴を互いに組み合わせることができる。
【図面の簡単な説明】
【図１】分離状態にある本発明になるコネクタの縦断面図である。
【図２】流路接続状態にある図１と同様の図である。
【図３】下流管が減圧接続状態にある図１と同様の図である。
【図４】雌部材を一部破線と一部点線でもって一部破断して示した、図１乃至図３のコネクタの一部斜視図である。
【図５】図１乃至４のコネクタの傾斜路の展開図である。
【図６】図５のＶＩ−ＶＩ線に沿う、拡大した一部断面図である。
【図７】図５に示した傾斜路の概略展開図である。
【図８】本発明の第２実施形態によるコネクタの図１と同様の図である。
【図９】本発明の第３実施形態によるコネクタの図１と同様の図である。
【図１０】本発明の第４実施形態にによるコネクタの図１と同様の図である。
【図１１】本発明の第５実施形態によるコネクタの図７と同様の図である。
【図１２】本発明の第６実施形態によるコネクタの図７と同様の図である。
【符号の説明】
Ａ  雄部材
Ｂ  雌部材
Ｂ1〜Ｂ5 ストッパ
Ｓ1〜Ｓ6 面
２０，２１  突出部
２４，２５,２６，３３，３９  リング
４０，４１,１０４０，４０４０  傾斜路
４０６,４１１  座部
４０３，４０５，４０７，４１２，４１３，４１５  面
４０４，４０６，４０８，４１１ 窪み
【図１】
0004286519.tif 000002
【図２】
0004286519.tif 000003
【図３】
0004286519.tif 000004
【図４】
0004286519.tif 000005
【図５】
0004286519.tif 000006
【図６】
0004286519.tif 000007
【図７】
0004286519.tif 000008
【図８】
0004286519.tif 000009
【図９】
0004286519.tif 000010
【図１０】
0004286519.tif 000011
【図１１】
0004286519.tif 000012
【図１２】
0004286519.tif 000013